(57)【要約】【課題】如何なる条件下においてもトリガスイッチのＯＮ操作によって止具の打ち込みを常に確実に開始することができる操作性の高い燃焼式動力工具を提供すること。【解決手段】プッシュレバー１０の工作物Ｗへの押し付け動作を検知するプッシュスイッチと、止具の打ち込み動作の開始を指示するトリガスイッチ６と、これらのプッシュスイッチとトリガスイッチ６からの信号を受けて混合気への点火動作を開始させる点火回路（制御手段）を備えた燃焼式釘打機（燃焼式動力工具）１において、前記点火回路に、前記プッシュスイッチがＯＮされてから所定時間が経過した後に点火動作を開始させる機能を持たせる。ここで、前記所定時間を例えば電池電圧と外気温度の少なくとも一方に応じて変化させる。【選択図】図１
2008221434.tif 000002
【特許請求の範囲】
【請求項１】
プッシュレバーの工作物への押し付け動作を検知するプッシュスイッチと、止具の打ち込み動作の開始を指示するトリガスイッチと、これらのプッシュスイッチとトリガスイッチからの信号を受けて混合気への点火動作を開始させる制御手段を備えた燃焼式動力工具において、
前記制御手段に、前記プッシュスイッチがＯＮされてから所定時間が経過した後に点火動作を開始させる機能を持たせたことを特徴とする燃焼式動力工具。
【請求項２】
前記所定時間を一定としたことを特徴とする請求項１記載の燃焼式動力工具。
【請求項３】
前記所定時間を電池電圧と外気温度の少なくとも一方に応じて変化させることを特徴とする請求項１記載の燃焼式動力工具。
【請求項４】
前記所定時間を電池電圧に基づいて設定される時間Ａと外気温度に基づいて設定される時間Ｂの和（Ａ＋Ｂ）としたことを特徴とする請求項３記載の燃焼式動力工具。
【請求項５】
前記所定時間を電池電圧に基づいて設定される時間Ａと外気温度に基づいて設定される時間Ｂのうちの大きい方の値としたことを特徴とする請求項３記載の燃焼式動力工具。
【発明の詳細な説明】
【技術分野】
【０００１】
本発明は、ガスボンベに封入された液化ガスを燃焼室内に噴出させ、これを空気と混合して形成される混合気を着火燃焼させることによってピストンを駆動する動力を発生させ、該ピストンによって釘等の止具を打ち込むための燃焼式動力工具に関するものである。
【背景技術】
【０００２】
従来の燃焼式動力工具は、ハウジング、ハンドル、トリガスイッチ、ヘッドキャップ、燃焼室枠、プッシュレバー、シリンダ、ピストン、ドライバブレード、モータ、ファン、ガスボンベ、点火プラグ、排気逆止弁、マガジン、テールカバー等を含んで構成されている。
【０００３】
上記ヘッドキャップは、前記ハウジングの一端を塞いでおり、前記ハンドルは、ハウジングに固定されており、該ハンドルには前記トリガスイッチが付設されるとともに、電池が着脱可能に内蔵されている。又、前記燃焼室枠は、ハウジング内に該ハウジングの長手方向に移動可能に設けられており、バネによって反ヘッドキャップ方向に付勢されているが、該燃焼室枠はバネの付勢力に抗して移動してその一端がヘッドキャップに当接可能である。
【０００４】
前記プッシュレバーは、ハウジングの他端に移動可能に設けられ、前記燃焼室枠に連設されている。又、前記シリンダは、燃焼室枠に連通可能に位置してハウジングに固定され、燃焼室枠の移動を案内するものであって、これには排気孔が形成されている。更に、前記ピストンは、シリンダ内に往復摺動可能に嵌挿されており、燃焼室枠の一端がヘッドキャップに当接したとき、ヘッドキャップと燃焼室枠及びシリンダのヘッドキャップ側端部と共に燃焼室を画成する。
【０００５】
前記ドライバブレードは、ピストンの反燃焼室側からハウジングの他端部方向に延設されている。又、前記モータは、ヘッドキャップに支持され、前記ファンは、モータに固定されて燃焼室内に位置している。羽根を有するファンは、モータによって回転駆動されて燃焼室内で燃焼ガスと空気を混合して燃焼ガスの燃焼を促進させ、燃焼枠がヘッドキャップから離間したときに外気をハウジング内に導入して燃焼室内を掃気するとともに、シリンダの外周側を冷却する機能を果たす。
【０００６】
前記ガスボンベは、ハウジング内に収納され、ヘッドキャップのガス通路を通じて燃焼室内に可燃ガスとして噴射される液化ガスを収容している。又、前記点火プラグは、燃焼室内に臨み、可燃ガスと空気との混合気を着火して燃焼させる。そして、前記排気逆止弁は、排気孔を選択的に遮蔽する。
【０００７】
前記マガジンは、ハウジングの他端部側に設けられており、その内部には釘等の止具が収容されている。又、前記テールカバーは、マガジン内の止具をドライバブレードに対向する位置に給送するためにマガジンとプッシュレバーとの間に設けられている。尚、燃焼室枠がヘッドキャップに当接したときに燃焼室を密閉するため、燃焼室枠の上部と密着するヘッドキャップの所定面と、燃焼室枠の下部と密着するシリンダのヘッドキャップ側端部とにはシール材（シールリング）がそれぞれ設けられている。
【０００８】
而して、プッシュレバーを工作物に押し付けると、燃焼室が画成された状態でガスボンベから液化ガスが燃焼室内に噴射され、燃焼室内ではファンによって空気と可燃ガスが撹拌混合され、この状態でトリガスイッチをＯＮ操作すると、点火プラグによる点火によって混合気が着火燃焼せしめられ、そのとき燃焼室内に発生する高圧によってピストンが駆動され、該ピストンに連結されたドライバブレードによって釘等の止具が木材等の工作物に打ち込まれる。
【０００９】
混合気が爆発燃焼した後、所定の時間が経過するまでは燃焼室枠がヘッドキャップに当接した状態が維持され、燃焼ガスが排気された後の排気逆止弁の閉鎖によって燃焼室が密閉されるとともに、温度低下に伴う燃焼室内の圧力低下によって燃焼室側で熱真空が得られ、ピストン上下間の圧力差によってピストンが上昇して元の初期位置に復帰する（例えば、特許文献１〜６参照）。
【００１０】
ところで、斯かる燃焼式動力工具には、プッシュレバーが工作物に押し付けられていることを検知するプッシュスイッチと、止具の打ち込みを指示するトリガスイッチと、これらのプッシュスイッチとトリガスイッチからの信号を受けて当該燃焼式動力工具の動作を制御する制御回路が設けられている。
【特許文献１】特公昭６４−００９１４９号公報
【特許文献２】特公平１−０３４７５３号公報
【特許文献３】特公平３−０２５３０７号公報
【特許文献４】特公平４−０４８５８９公報
【特許文献５】特許第３６５１９８８号公報
【特許文献６】米国特許第５１３３３２９号公報
【発明の開示】
【発明が解決しようとする課題】
【００１１】
この種の燃焼室動力工具においては、プッシュレバーを工作物に押し付けてプッシュスイッチがＯＮすると、液化ガスの噴射とファンによる可燃ガスの空気との混合撹拌がなされ、その後、トリガスイッチのＯＮ操作によって混合気への点火がなされた止具の打ち込みが開始される。ここで、従来の点火回路の制御フローを図４に基づいて説明する。
【００１２】
トリガスイッチがＯＮされると（ステップＳ１０１での判断結果がＹＥＳの場合）、発振回路がＯＮされてコンデンサが所定時間（例えば４０ｍｓ）だけ充電（チャージ）される（ステップＳ１０２，Ｓ１０３）。このように発振回路が所定時間だけＯＮされて所定時間が経過すると発振回路がＯＦＦされ（ステップＳ１０４）、放電用のサイリスタが所定時間（例えば１０ｍｓ）だけＯＮされ（ステップＳ１０５，Ｓ１０６）、コンデンサに充電されていた電荷が放電されて点火プラグにスパークが発生し、燃焼室内の混合気が着火燃焼されて止具の打ち込みが開始される。そして、その後トリガスイッチがＯＦＦされると（ステップＳ１０７での判断結果がＹＥＳである場合）、以上の動作が繰り返される。
【００１３】
ところで、従来の燃焼式動力工具には次のような不具合があった。
【００１４】
即ち、操作に不慣れな使用者はプッシュレバーを工作物へ押し付ける動作とトリガスイッチのＯＮ操作をほぼ同時に行うことがあり、このような場合には、プッシュスイッチのＯＮ動作による液化ガスの噴射（気化）とファンによる混合撹拌が間に合わず、トリガスイッチをＯＮ操作して着火動作を行っても、混合気が着火燃焼しないことがあり、正常な打ち込みが行えない。このような不具合は、特に外気温度が低くて液化ガスの気化が遅いときや、電池電圧が低下してファンによる可燃ガスの混合撹拌が遅いときに顕著に発生し、使用者によっては操作性が著しく低下してしまう。
【００１５】
本発明は上記問題に鑑みてなされたもので、その目的とする処は、如何なる条件下においてもトリガスイッチのＯＮ操作によって止具の打ち込みを常に確実に開始することができる操作性の高い燃焼式動力工具を提供することにある。
【課題を解決するための手段】
【００１６】
上記目的を達成するため、請求項１記載の発明は、プッシュレバーの工作物への押し付け動作を検知するプッシュスイッチと、止具の打ち込み動作の開始を指示するトリガスイッチと、これらのプッシュスイッチとトリガスイッチからの信号を受けて混合気への点火動作を開始させ制御手段を備えた燃焼式動力工具において、前記制御手段に、前記プッシュスイッチがＯＮされてから所定時間が経過した後に点火動作を開始させる機能を持たせたことを特徴とする。
【００１７】
請求項２記載の発明は、請求項１記載の発明において、前記所定時間を一定としたことを特徴とする請求項１記載の燃焼式動力工具。
【００１８】
請求項３記載の発明は、請求項１記載の発明において、前記所定時間を電池電圧と外気温度の少なくとも一方に応じて変化させることを特徴とする。
【００１９】
請求項４記載の発明は、請求項３記載の発明において、前記所定時間を電池電圧に基づいて設定される時間Ａと外気温度に基づいて設定される時間Ｂの和（Ａ＋Ｂ）としたことを特徴とする。
【００２０】
請求項５記載の発明は、請求項３記載の発明において、前記所定時間を電池電圧に基づいて設定される時間Ａと外気温度に基づいて設定される時間Ｂのうちの大きい方の値としたことを特徴とする。
【発明の効果】
【００２１】
請求項１記載の発明によれば、プッシュスイッチがＯＮされてから所定時間が経過した後に点火動作を開始させるようにしたため、操作に不慣れな使用者がプッシュレバーを工作物へ押し付ける動作とトリガスイッチのＯＮ操作をほぼ同時に行ったとしても、プッシュスイッチのＯＮ動作による液化ガスの噴射（気化）とファンによる混合撹拌が十分なされた後に混合気への点火がなされ、外気温度や電池電圧等を含む如何なる条件下においてもトリガスイッチのＯＮ操作によって止具の打ち込みを常に確実に開始することができ、燃焼式動力工具の操作性が高められる。
【００２２】
請求項２記載の発明によれば、プッシュスイッチがＯＮされてから点火動作が開始されるまでの待機時間（所定時間）を外気温度や電池電圧について最も過酷な条件下においても混合気の混合撹拌が着火に必要な程度まで十分なされる固定値に設定することによって、如何なる条件下においてもトリガスイッチのＯＮ操作によって止具の打ち込みを常に確実に開始することができる。
【００２３】
請求項３〜５記載の発明によれば、プッシュスイッチがＯＮされてから点火動作が開始されるまでの待機時間（所定時間）を電池電圧に基づいて設定される時間Ａと外気温度に基づいて設定される時間Ｂに応じて設定するため、外気温度が低くて液化ガスの気化が遅いときや、電池電圧が低下してファンによる可燃ガスの混合撹拌が遅いときであっても、トリガスイッチのＯＮ操作によって止具の打ち込みを常に確実に開始することができる。
【発明を実施するための最良の形態】
【００２４】
以下に本発明の実施の形態を添付図面に基づいて説明する。
【００２５】
図１は本発明に係る燃焼式動力工具の一形態としての燃焼式釘打機の破断側面図であり、図示の燃焼式釘打機１は、外枠体を構成するハウジング２を有し、このハウジング２は、主ハウジング部２Ａと、該主ハウジング部２Ａの長手方向に沿って主ハウジング部２Ａに並設されたボンベ室部２Ｂとで構成されている。尚、図示しないが、主ハウジング部２Ａの上部には吸気口が形成され、下部には排気口が形成されている。
【００２６】
又、ハウジング２の主ハウジング部２Ａの上部にはヘッドカバー４が取り付けられており、ボンベ室部２Ｂ内には、可燃ガスを充填したガスボンベ５が着脱可能に収容されている。そして、ボンベ室部２Ｂからはハンドル７が延設されており、このハンドル７にはトリガスイッチ６が設けられるとともに、不図示の電池が内蔵されている。
【００２７】
主ハウジング部２Ａとボンベ室部２Ｂの下方には、不図示の釘を装填したマガジン８と、該マガジン８を給送案内して所定の位置にセットするためのテールカバー９が設けられている。
【００２８】
主ハウジング部２Ａの下端には、テールカバー９の釘セット位置に対応してプッシュレバー１０が図１の上下方向に移動可能に支持されており、このプッシュレバー１０は、燃焼室枠１１に固定された連結部材１２に連設されている。ここで、プッシュレバー１０の先端が木材等の工作物Ｗに当接してハウジング２全体を工作物Ｗ方向（図１の下方）に押圧したとき、該プッシュレバー１０の上部が主ハウジング部２Ａ内に後退し得るよう構成されている。
【００２９】
又、主ハウジング部２Ａの上端には、その上端開口部を塞ぐためのヘッド部であるヘッドキャップ１３が固定されており、該ヘッドキャップ１３には、ファン１４を回転軸の先端に固定して成るモータ３がバネ３Ａを介して支持されるとともに、前記トリガスイッチ６によって点火される点火プラグ１５が取り付けられている。尚、主ハウジング部２Ａ内には、当該燃焼式釘打機１が工作物Ｗに押し付けられて前記燃焼室枠１１がストローク上端にあることを検知するためのプッシュスイッチ２９（図３参照）が設けられている。このプッシュスイッチ２９は、プッシュレバー１０が所定位置まで上昇したときにＯＮ動作して前記モータ３が起動されて前記ファン１４の回転が開始されるよう構成されている。
【００３０】
前記ヘッドキャップ１３のボンベ室部２Ｂ側内には燃料通路である噴射通路１７が形成されており、この噴射通路１７の一端は、ヘッドキャップ１３の下端面に噴射口１８として開口しており、同噴射通路１７の他端は、前記ガスボンベ５に接続されている。又、ヘッドキャップ１３には、燃焼室枠１１の上部がヘッドキャップ１３に当接したときにヘッドキャップ１３と燃焼室枠１１間をシールするためのＯリング等のシール材１９が装着されている。
【００３１】
又、主ハウジング部２Ａ内には、該主ハウジング部２Ａの長手方向（図１の上下方向）に移動可能でヘッドキャップ１３の下端面に当接可能な前記燃焼室枠１１が設けられている。前述のように、燃焼室枠１１の下端面には連結部材１２が固定されてプッシュレバー１０に連設されているため、プッシュレバー１０の移動に伴って燃焼室枠１１も移動する。そして、主ハウジング部２Ａには、燃焼室枠１１の内周面に当接して該燃焼室枠１１の移動を案内するシリンダ２０が固定されており、このシリンダ２０の下端面と連結部材１２の間には圧縮コイルスプリング２２が介装されており、この圧縮コイルスプリング２２によって燃焼室枠１１が反ヘッドキャップ１３方向に付勢されている。
【００３２】
上記シリンダ２０の下部付近には、主ハウジング部２Ａの不図示の排気口と連通可能な排気孔２１が形成されている。そして、シリンダ２０の底部にはバンパ２３が設けられている。又、シリンダ２０の上部には、燃焼室枠１１がヘッドキャップ１３に当接したときに燃焼室枠１１の下部側内周面とシリンダ２０の上部外周面の間をシールするＯリング等のシール材２４が装着されている。
【００３３】
シリンダ２０内には、該シリンダ２０に対して往復摺動可能なピストン２５が設けられており、燃焼室枠１１の上端がヘッドキャップ１３に当接したとき、ヘッドキャップ１３、燃焼室枠１１、シリンダ２０のヘッドキャップ１３側端部、ピストン２５及びシール材１９，２４によって燃焼室２６が画成される。そして、燃焼室枠１１がヘッドキャップ１３から離間したときは、ヘッドキャップ１３と燃焼室枠１１の上端との間に外気に連通する第１流路Ｓ１が形成されるとともに、燃焼室枠１１の下端部とシリンダ２０の上端部との間に前記第１流路Ｓ１に連なる第２流路Ｓ２が形成される。この第２流路Ｓ２は、シリンダ２０の外周面側に燃焼ガスや新たな空気を通過させ、これらを主ハウジング部２Ａの不図示の排出口から排出させる。
【００３４】
燃焼室枠１１の燃焼室２６が画成する部分には、燃焼室枠１１の軸方向に延びる複数のリブ２７が半径方向内方に向かって突設されている。これらのリブ２７は、ファン１４の回転と相俟って燃焼室２６内での空気と可燃ガスとの撹拌混合を促進させるためのものである。又、不図示の前記吸気口は、燃焼室２６内に空気を供給するために形成されたものであって、排気孔２１や不図示の排気口からは燃焼室２６内の燃焼ガスが排出される。
【００３５】
又、前記ピストン２５の反燃焼室２６側からはドライバブレード２８がハウジング部２Ａの下端部方向に延設されており、このドライバブレード２８は、前記テールカバー９内の釘を打撃可能な同軸位置にあり、ピストン２５が下降したとき、該ピストン２５は前記バンパ２３に突き当たって停止する。
【００３６】
ファン１４、点火プラグ１５、噴射口１８は全て燃焼室２６内に配置又は開口しており、ファン１４は、燃焼室枠１１がヘッドキャップ１３と当接する位置にあるときに、その回転によって空気と可燃ガスとを撹拌混合させ、点火後に乱流燃焼を生じさせて可燃ガスの燃焼を促進させ、燃焼室枠１１がヘッドキャップ１３から離間して第１及び第２流路Ｓ１，Ｓ２が形成されたときに燃焼室２６内の燃焼ガスを掃気するとともにシリンダ２０を冷却するという３つの機能を果たす。
【００３７】
而して、図１に示す状態においてハンドル７を把持してプッシュレバー１０の先端を加工物Ｗに押し付けると、プッシュレバー１０が圧縮コイルスプリング２２の付勢力に抗して上昇し、該プッシュレバー１０に連設された燃焼室枠１１も上昇し、該燃焼室枠１１によって第１流路Ｓ１と第２流路Ｓ２がシール材１９，２４によってそれぞれ密閉され、これによって外気から閉じられた燃焼室２６が形成される。
【００３８】
プッシュレバー１０の動作と連動し、その後、ガスボンベ５が押圧されて液化ガスが噴射通路１７を通って噴射口１８から燃焼室２６へと噴射され、燃焼室枠１１が上死点に位置したことをプッシュスイッチ２９（図３参照）がＯＮされ、モータ３の駆動回路がＯＮされてファン１４が回転する。ファン１４が密閉空間となった燃焼室２６内で回転することによって、該燃焼室２６内に噴射された液化ガスが空気と混合撹拌されて混合気が形成される。
【００３９】
プッシュレバー１０の工作物Ｗへの押し付け動作に引き続き、トリガスイッチ６を引いてこれをＯＮ操作すると、制御手段である不図示の点火回路によって点火プラグ１５にスパークが発生し、燃焼室２６内の混合気が着火燃焼せしめられる。燃焼室２６内での混合気の燃焼によって膨張した燃焼ガスはピストン２５をシリンダ２０に沿って下方へと押し下げ、このピストン２５と一体に下動するドライバブレード２８によって釘が工作物Ｗに打ち込まれる。
【００４０】
上述のように釘が工作物Ｗに打ち込まれると、ピストン２５はバンパ２３に衝突して衝撃が緩和されるとともに、燃焼ガスが排気孔２１からシリンダ２０外へと排出される。ここで、排気孔２１には不図示の逆止弁が設けられており、燃焼ガスがシリンダ２０外へ排出されてシリンダ２０及び燃焼室２６内が大気圧になった時点で逆止弁が閉じられる。
【００４１】
そして、燃焼室２６内に残留する高温の燃焼ガスが急冷されて燃焼室２６内の圧力が低下して大気圧以下に下がると（熱真空）、ピストン２５とドライバブレード２８は初期の上死点位置に引き戻される。
【００４２】
その後、トリガスイッチ６の引き操作を開放して該トリガスイッチ６をＯＦＦし、当該燃焼式釘打機１を持ち上げてプッシュレバー１０を工作物Ｗから離すと、プッシュレバー１０と燃焼室枠１１が圧縮コイルスプリング２２の付勢力によって下方へ移動して図１に示す元の初期位置に復帰する。このとき、ファン１４は、プッシュスイッチ２９がＯＦＦされた後も所定時間だけ回転し続ける。燃焼室枠１１が下動して元の初期位置に復帰すると、シール部材１９，２４によって密閉されていた第１流路Ｓ１と第２流路Ｓ２が開いて燃焼室２６の密閉状態が開放される。この状態でファン１４の回転によって燃焼室２６内に流れが発生することによってハウジング２の上面の不図示の吸気口から大気中の空気が燃焼室２６内に吸引され、この空気によって燃焼室２６内に残留する燃焼ガスが排出され、その後、ファン１４が停止される。
【００４３】
而して、本実施の形態は、プッシュスイッチ２９がＯＮされてから所定時間が経過した後に点火動作を開始させる機能を図３に示す点火回路部１１０に持たせたことを特徴とする。以下、点火回路部１１０の制御フローを図２に基づいて説明する。
【００４４】
トリガスイッチ６がＯＮされると（ステップＳ１での判断結果がＹＥＳの場合）、電池電圧に基づいて時間Ａを設定し（ステップＳ２）、次に外気温度に基づいて時間Ｂを設定し（ステップＳ３）、プッシュスイッチ２９のＯＮ／ＯＦＦを確認する（ステップＳ４）。尚、本実施の形態では、機械的機構によってプッシュスイッチ２９がＯＮしていなければトリガスイッチ６はＯＮされない構造となっている。
【００４５】
プッシュレバー１０が工作物Ｗに押し付けられてプッシュスイッチ２９がＯＮされている場合（ステップＳ４での判断結果がＹＥＳの場合）には、該プッシュスイッチ２９がＯＮされてから（Ａ＋Ｂ）時間が経過したか否かが判断され（ステップＳ５）、プッシュスイッチ２９がＯＮされてから（Ａ＋Ｂ）時間が経過すると（ステップＳ５の判断結果がＹＥＳである場合）、発振器回路がＯＮされてコンデンサが所定時間（例えば４０ｍｓ）だけ充電（チャージ）される（ステップＳ６，Ｓ７）。このように発振回路が所定時間だけＯＮされて所定時間が経過すると発振回路がＯＦＦされ（ステップＳ８）、放電用のサイリスタが所定時間（例えば１０ｍｓ）だけＯＮされ（ステップＳ９，Ｓ１０）、コンデンサに充電されていた電荷が放電されて点火プラグ１５にスパークが発生し、燃焼室２６内の混合気が着火燃焼されて釘の打ち込みが開始される。そして、その後トリガスイッチ６がＯＦＦされると（ステップＳ１１での判断結果がＹＥＳである場合）、以上の動作が繰り返される。
【００４６】
以上のように、本実施の形態では、プッシュスイッチ２９がＯＮされてから時間（Ａ＋Ｂ）が経過するまでは発振回路が動作せず、点火動作が開始されるまでの時間（Ａ＋Ｂ）の間にファン１４による燃焼室２６での可燃ガスと空気との混合撹拌が十分になされる。そして、このように可燃ガスと空気との混合撹拌が十分になされた後に発振回路が動作して混合気の着火動作が開始されるようにしたため、操作に不慣れな使用者がプッシュレバー１０を工作物Ｗへ押し付ける動作とトリガスイッチ６のＯＮ操作をほぼ同時に行ったとしても、混合気は常に確実に着火燃焼することとなり、外気温度や電池電圧等を含む如何なる条件下においてもトリガスイッチ６のＯＮ操作によって釘の打ち込みを常に確実に開始することができ、当該燃焼式釘打機１の操作性が高められる。
【００４７】
尚、本実施の形態では、プッシュスイッチ２９がＯＮされてから点火動作を開始するまでの待機時間として電池電圧に基づいて設定される時間Ａと外気温度に基づいて設定される時間Ｂの和（Ａ＋Ｂ）としたが、時間Ａと時間Ｂのうちの大きい方の値としも良く、又、外気温度や電池電圧について最も過酷な条件下においても混合気の混合撹拌が着火に必要な程度まで十分なされる固定値に設定しても良い。
【００４８】
ここで、本実施の形態に係る燃焼式釘打機１の制御回路の構成を図３に基づいて説明する。
【００４９】
図３に示す制御回路２００は、電源部３０、電池電圧検出部４０、外気温度検出部５０、プッシュスイッチ部６０、トリガスイッチ部７０、マイコン８０、発振器９０、充電回路部１００、点火回路部１１０、モータ駆動制御部１２０、表示部１３０等で構成されている。
【００５０】
電源部３０は、レギュレータＩＣ１、電界効果トランジスタ（ＦＥＴ）Ｑ５、トランジスタＱ３，Ｑ４，Ｑ１３，Ｑ１４，Ｑ１５、ダイオードＤ８，コンデンサＣ２，Ｃ３，Ｃ８，Ｃ９、抵抗Ｒ４，Ｒ５，Ｒ６，Ｒ７，Ｒ８，Ｒ９，Ｒ２８，Ｒ３１，Ｒ３２，Ｒ３３等で構成されている。
【００５１】
電池３１から供給される電圧（本実施の形態では７．２Ｖ）は、ダイオードＤ８を介してレギュレータＩＣ１に入力され、制御回路２００の動作に必要な電圧（本実施の形態では３．３Ｖ）を発生する。
【００５２】
電池電圧検出部４０は、電界効果トランジスタ（ＦＥＴ）Ｑ１，Ｑ２、抵抗Ｒ１，Ｒ２，Ｒ３，Ｒ１４，Ｒ１５、コンデンサＣ１等によって構成されている。電池３１の電圧は、抵抗Ｒ１４，Ｒ１５で分圧されてマイコン８０に入力される。
【００５３】
外気温度検出部５０は、抵抗Ｒ３４とサーミスタＴＨによって構成され、サーミスタＴＨによって検出された外気温度はマイコン８０に入力される。
【００５４】
プッシュスイッチ部６０は、プッシュスイッチ２９（ＳＷ２）、抵抗Ｒ１２，Ｒ１３、ダイオードＤ３，Ｄ４、コンデンサＣ６等で構成されている。
【００５５】
トリガスイッチ部７０は、抵抗Ｒ１０，Ｒ１１、ダイオードＤ１，Ｄ２、コンデンサＣ７等で構成されており、プッシュスイッチ部６０と同様に動作する。
【００５６】
マイコン８０は、リセット入力ポート、出力ポート、演算手段（ＣＰＵ）、ＲＡＭ、ＲＯＭ、Ａ／Ｄコンバータ、タイマー等で構成されており、モータ３の駆動や点火回路部１１０等の動作を制御し、タイマーには発振器９０が接続されている。
【００５７】
充電回路部１００は、点火用コンデンサＣ５の充電を行う回路であって、コンデンサＣ５、トランスＴ１、ダイオードＤ５，Ｄ６，Ｄ９、トランジスタＱ６，Ｑ１２、電界効果トランジスタ（ＦＥＴ）Ｑ７、抵抗Ｒ１８，Ｒ１９，Ｒ２０等で構成されている。コンデンサＣ５の充電の開始は、トリガスイッチ６（ＳＷ１）を引くことによって開始されるが、トリガスイッチ６のＯＮ信号は２つの経路を経て充電回路部１００に伝達される。
【００５８】
点火回路部１１０は、点火プラグ１５、サイリスタＳＣＲ１、ダイオードＤ７、抵抗Ｒ２１，Ｒ２２等で構成されている。サイリスタＳＣＲ１がＯＮすると、コンデンサＣ５に充電されていた電荷が放電され、トランスＴ２によって約１５０００Ｖまで昇圧されて点火プラグ１５（ＳＰ１）にスパークが発生する。
【００５９】
モータ駆動制御部１２０は、図１に示すプッシュレバー１０を工作物Ｗに押し付けてプッシュスイッチ２９がＯＮ状態になると動作し、モータ３を起動してファン１４を回転駆動する。
【００６０】
尚、以上の実施の形態では、本発明を特に燃焼式釘打機に対して適用した形態について説明したが、本発明は、ピン、ステープラー等の他の止具を打ち込むための他の任意の燃焼式動力工具に対しても同様に適用可能であることは勿論である。
【図面の簡単な説明】
【００６１】
【図１】本発明に係る燃焼式釘打機の破断側面図である。
【図２】本発明に係る燃焼式釘打機の点火回路の制御手順を示すフローチャートである。
【図３】本発明に係る燃焼式釘打機の制御回路の構成図である。
【図４】従来の燃焼式動力工具の点火回路の制御手順を示すフローチャートである。
【符号の説明】
【００６２】
１      燃焼式釘打機（燃焼式動力工具）
２      ハウジング
２Ａ    ハウジングの主ハウジング部
２Ｂ    ハウジングのボンベ室部
３      モータ
３Ａ    バネ
４      ヘッドカバー
５      トリガスイッチ
６      トリガスイッチ
７      ハンドル
８      マガジン
９      テールカバー
１０    プッシュレバー
１１    燃焼室枠
１２    連結部材
１３    ヘッドキャップ
１４    ファン
１５    点火プラグ
１７    噴射通路
１８    噴射口
１９    シール材
２０    シリンダ
２１    排気孔
２２    圧縮コイルスプリング
２３    バンパ
２４    シール材
２５    ピストン
２６    燃焼室
２７    リブ
２８    ドライバブレード
２９    プッシュスイッチ
３０    電源部
３１    電池
４０    電池電圧検出部
５０    外気温度検出部
６０    プッシュスイッチ部
７０    トリガスイッチ部
８０    マイコン
９０    発振器
１００  充電回路部
１１０  点火回路部
１２０  モータ駆動制御部
１３０  表示部
２００  制御回路
Ｓ１    第１流路
Ｓ２    第２流路
Ｗ      工作物
【図１】
2008221434.tif 000003
【図２】
2008221434.tif 000004
【図３】
2008221434.tif 000005
【図４】
2008221434.tif 000006